(57)【要約】【課題】１つの電子文書を複数のセグメントに分割し、１つの電子文書の閲覧内容をユーザに応じて変更することが可能な文書管理装置を提供する。【解決手段】  文書管理装置1は、１つの電子文書を複数のセグメントに分割し、セグメント毎にアクセス権を設定した文書対応階層テーブルを作成する文書対応階層テーブル作成部（15）と、電子文書の閲覧要求を利用者から受け付けた場合に、その利用者のアクセス権と、文書対応階層テーブルに設定されたアクセス権と、を照合し、利用者のアクセス権で閲覧可能なセグメントの閲覧内容の電子文書を利用者に出力する文書出力部（17）と、を有することを特徴とする。【選択図】図１
2010072690.tif 000002
【特許請求の範囲】
【請求項１】
１つの電子文書を複数のセグメントに分割し、セグメント毎にアクセス権を設定した文書対応階層テーブルを作成する作成手段と、
電子文書の閲覧要求を利用者から受け付けた場合に、当該利用者のアクセス権と、前記文書対応階層テーブルに設定されたアクセス権と、を照合し、前記利用者のアクセス権で閲覧可能なセグメントの閲覧内容の電子文書を前記利用者に出力する文書出力手段と、
を有することを特徴とする文書管理装置。
【請求項２】
前記文書出力手段は、
前記利用者のアクセス権で閲覧不可能なセグメントの電子文書を閲覧不可能な形式に変換し、前記利用者のアクセス権で閲覧可能なセグメントの電子文書のみを閲覧可能にし、前記利用者のアクセス権で閲覧可能なセグメントの閲覧内容の電子文書を前記利用者に出力することを特徴とする請求項１記載の文書管理装置。
【請求項３】
前記作成手段は、
前記文書対応階層テーブルに設定された各アクセス権で閲覧可能なセグメントの閲覧内容の電子文書を前記アクセス権毎に作成し、
前記文書出力手段は、
電子文書の閲覧要求を利用者から受け付けた場合に、前記アクセス権毎に作成した電子文書の中から、前記利用者のアクセス権に対応する電子文書を前記利用者に出力することを特徴とする請求項１記載の文書管理装置。
【請求項４】
前記文書出力手段は、
電子文書の閲覧要求を利用者から受け付けた場合に、前記アクセス権毎に作成した電子文書の中から、前記利用者のアクセス権で閲覧可能な電子文書を取得し、該取得した電子文書を結合した合成文書を前記利用者に出力することを特徴とする請求項３記載の文書管理装置。
【請求項５】
前記作成手段は、
前記アクセス権毎に作成した前記電子文書を分割ファイル毎に区分し、
前記文書出力手段は、
分割ファイルの中から、前記利用者のアクセス権で閲覧可能な分割ファイルを取得し、該取得した分割ファイルを結合した合成文書を前記利用者に出力することを特徴とする請求項３または４記載の文書管理装置。
【請求項６】
前記作成手段は、
１つの電子文書を複数のセグメントに分割した際に、各セグメントのアクセス権をデフォルトに設定し、デフォルト状態の文書対応階層テーブルを作成する手段と、
前記デフォルト状態の文書対応階層テーブルの各セグメントに新たなアクセス権を設定した文書対応階層テーブルを作成する手段と、
を有することを特徴とする請求項１から５の何れか１項に記載の文書管理装置。
【請求項７】
１つの電子文書を複数のセグメントに分割し、セグメント毎にアクセス権を設定した文書対応階層テーブルを作成する作成工程と、
電子文書の閲覧要求を利用者から受け付けた場合に、前記利用者のアクセス権と、前記文書対応階層テーブルに設定されたアクセス権と、を照合し、前記利用者のアクセス権で閲覧可能なセグメントの閲覧内容の電子文書を前記利用者に出力する文書出力工程と、
を有することを特徴とする文書管理方法。
【請求項８】
前記文書出力工程は、前記利用者のアクセス権で閲覧不可能なセグメントの電子文書を閲覧不可能な形式に変換し、前記利用者のアクセス権で閲覧可能なセグメントの電子文書のみを閲覧可能にし、前記利用者のアクセス権で閲覧可能なセグメントの閲覧内容の電子文書を前記利用者に出力することを特徴とする請求項７記載の文書管理方法。
【請求項９】
１つの電子文書を複数のセグメントに分割し、セグメント毎にアクセス権を設定した文書対応階層テーブルを作成する作成処理と、
電子文書の閲覧要求を利用者から受け付けた場合に、前記利用者のアクセス権と、前記文書対応階層テーブルに設定されたアクセス権と、を照合し、前記利用者のアクセス権で閲覧可能なセグメントの閲覧内容の電子文書を前記利用者に出力する文書出力処理と、をコンピュータに実行させることを特徴とする文書管理プログラム。
【請求項１０】
前記文書出力処理は、前記利用者のアクセス権で閲覧不可能なセグメントの電子文書を閲覧不可能な形式に変換し、前記利用者のアクセス権で閲覧可能なセグメントの電子文書のみを閲覧可能にし、前記利用者のアクセス権で閲覧可能なセグメントの閲覧内容の電子文書を前記利用者に出力することを特徴とする請求項９記載の文書管理プログラム。
【発明の詳細な説明】
【技術分野】
【０００１】
本発明は、文書管理装置、文書管理方法及び文書管理プログラムに関し、特に、電子文書の閲覧内容をユーザに応じて変更することが可能な文書管理装置、文書管理方法及び文書管理プログラムに関するものである。
【背景技術】
【０００２】
一般的な文書管理としては、例えば、電子文書が格納されたフォルダ（ディレクトリ）にアクセス権を設定したり、電子文書自体にアクセス権を設定したりし、アクセス権が許可されたユーザのみに電子文書を閲覧させるようにしている。
【０００３】
しかし、現状の文書管理では、１つの電子文書を複数のセグメント（例えば、章、段落、文章、単語など）に分割し、そのセグメント毎にアクセス権を設定することができない。このため、１つの電子文書の閲覧内容をユーザに応じて変更することができないことになる。
【０００４】
このようなことから、１つの電子文書を複数のセグメントに分割し、セグメント毎にアクセス権を設定することが可能な仕組みの開発が必要視されることになる。
【０００５】
なお、本発明より先に出願された技術文献として、ファイル保護をそのファイル内の任意の部分領域単位で行う技術について開示された文献がある（例えば、特許文献１参照）。
【０００６】
また、各種の文書の任意の部分にアクセス制御を加えることのできる技術について開示された文献がある（例えば、特許文献２参照）。
【特許文献１】特開平６−１１０７６３号公報
【特許文献２】特開２００６−２５２４４８号公報
【発明の開示】
【発明が解決しようとする課題】
【０００７】
しかし、上記特許文献１、２には、１つの電子文書を複数のセグメントに分割し、セグメント毎にアクセス権を設定する点については何ら記載もその必要性についても示唆されていない。
【０００８】
本発明は、上記事情に鑑みてなされたものであり、上述した課題である、１つの電子文書を複数のセグメントに分割し、１つの電子文書の閲覧内容をユーザに応じて変更することが可能な文書管理装置、文書管理方法及び文書管理プログラムを提供することを目的とする。
【課題を解決するための手段】
【０００９】
かかる目的を達成するために、本発明は、以下の特徴を有することとする。
【００１０】
＜文書管理装置＞
本発明にかかる文書管理装置は、
１つの電子文書を複数のセグメントに分割し、セグメント毎にアクセス権を設定した文書対応階層テーブルを作成する作成手段と、
電子文書の閲覧要求を利用者から受け付けた場合に、前記利用者のアクセス権と、前記文書対応階層テーブルに設定されたアクセス権と、を照合し、前記利用者のアクセス権で閲覧可能なセグメントの閲覧内容の電子文書を前記利用者に出力する文書出力手段と、
を有することを特徴とする。
【００１１】
＜文書管理方法＞
また、本発明にかかる文書管理方法は、
１つの電子文書を複数のセグメントに分割し、セグメント毎にアクセス権を設定した文書対応階層テーブルを作成する作成工程と、
電子文書の閲覧要求を利用者から受け付けた場合に、前記利用者のアクセス権と、前記文書対応階層テーブルに設定されたアクセス権と、を照合し、前記利用者のアクセス権で閲覧可能なセグメントの閲覧内容の電子文書を前記利用者に出力する文書出力工程と、
を有することを特徴とする。
【００１２】
＜文書管理プログラム＞
また、本発明にかかる文書管理プログラムは、
１つの電子文書を複数のセグメントに分割し、セグメント毎にアクセス権を設定した文書対応階層テーブルを作成する作成処理と、
電子文書の閲覧要求を利用者から受け付けた場合に、前記利用者のアクセス権と、前記文書対応階層テーブルに設定されたアクセス権と、を照合し、前記利用者のアクセス権で閲覧可能なセグメントの閲覧内容の電子文書を前記利用者に出力する文書出力処理と、をコンピュータに実行させることを特徴とする。
【発明の効果】
【００１３】
本発明によれば、１つの電子文書を複数のセグメントに分割し、１つの電子文書の閲覧内容をユーザに応じて変更することが可能となる。
【発明を実施するための最良の形態】
【００１４】
＜文書管理装置1の概要＞
まず、図１を参照しながら、本実施形態の文書管理装置1の概要について説明する。
【００１５】
本実施形態の文書管理装置1は、１つの電子文書を複数のセグメントに分割し、セグメント毎にアクセス権を設定した文書対応階層テーブルを作成する作成手段（文書対応階層テーブル作成部15に相当）と、電子文書の閲覧要求を利用者から受け付けた場合に、その利用者のアクセス権と、文書対応階層テーブルに設定されたアクセス権と、を照合し、利用者のアクセス権で閲覧可能なセグメントの閲覧内容の電子文書を利用者に出力する文書出力手段（文書出力部17に相当）と、を有することを特徴とする。
【００１６】
これにより、本実施形態の文書管理装置1は、特定、不特定多数のユーザが閲覧する可能性のある電子文書を文書管理装置１で管理する場合に、その電子文書を複数のセグメント（例えば、章、段落、文章、単語など）に分割し、セグメント毎にアクセス権を設定した文書対応階層テーブルを作成することになる。そして、電子文書の閲覧要求を利用者から受け付けた場合に、その利用者のアクセス権と、文書対応階層テーブルに設定されたアクセス権と、を照合し、利用者のアクセス権で閲覧が許可されないセグメントの電子文書については閲覧不可能な形式に変換し、また、利用者のアクセス権で閲覧が許可されたセグメントの電子文書についてはそのままの形式にし、利用者のアクセス権で閲覧可能なセグメントの閲覧内容の電子文書を利用者に出力することになる。
【００１７】
その結果、本実施形態の文書管理装置1は、１つの電子文書を複数のセグメントに分割し、１つの電子文書の閲覧内容をユーザに応じて変更することが可能となる。以下、添付図面を参照しながら、本実施形態の文書管理装置1について詳細に説明する。
【００１８】
＜文書管理システムのシステム構成＞
まず、図１を参照しながら、本実施形態の文書管理システムのシステム構成について説明する。
【００１９】
本実施形態の文書管理システムは、文書管理装置1と、利用者端末装置2と、がネットワーク3を介して接続して構成している。なお、本実施形態におけるネットワーク3は、各装置間で情報通信が可能であれば、通信形態は特に限定するものではなく、有線、無線を問わずあらゆる通信形態が適用可能である。
【００２０】
文書管理装置1は、電子文書を管理するための装置である。利用者端末装置2は、文書管理装置1で管理している電子文書を閲覧するための装置である。
【００２１】
＜文書管理装置1の構成＞
次に、図１を参照しながら、本実施形態の文書管理装置1の構成について説明する。
【００２２】
本実施形態の文書管理装置1は、通信制御部11と、文書保存部12と、入力部13と、階層・利用者ID対応テーブル保存部14と、文書対応階層テーブル作成部15と、文書対応階層テーブル保存部16と、文書出力部17と、を有して構成する。
【００２３】
通信制御部11は、利用者端末装置2と通信を行う機能を有する。
【００２４】
文書保存部12は、電子文書を保存する機能を有する。
【００２５】
入力部13は、各種情報を入力する機能を有する。
【００２６】
階層・利用者ID対応テーブル保存部14は、図２に示す階層・利用者ID対応テーブルを作成し、保存する機能を有する。図２に示す階層・利用者ID対応テーブルは、階層と、利用者IDと、が対応付けられている。階層は、利用者が電子文書を閲覧する際のアクセスレベル（アクセス権）を決定するものである。利用者IDは、利用者を一意に特定するためのものである。本実施形態では、階層が低いほどアクセスレベルが低く、階層が高いほどアクセスレベルが高くなる。例えば、階層１の利用者IDの利用者は、階層１の電子文書しか閲覧することができず、階層Nの利用者IDの利用者は、階層１〜Nの全ての電子文書を閲覧することができることになる。
【００２７】
文書対応階層テーブル作成部15は、電子文書に対応した文書対応階層テーブルを作成する機能を有する。また、文書対応階層テーブルに階層を設定する機能を有する。本実施形態の文書対応階層テーブル作成部15は、１つの電子文書を複数のセグメント（例えば、章、段落、文章、単語など）に分割し、セグメント毎に階層を設定した文書対応階層テーブルを作成することになる。
【００２８】
文書対応階層テーブル保存部16は、文書対応階層テーブルを保存する機能を有する。なお、文書対応階層テーブル保存部16に保存した文書対応階層テーブルの階層を任意に設定変更することも可能である。
【００２９】
文書出力部17は、文書保存部12に保存された電子文書を利用者端末装置2に出力する機能を有する。
【００３０】
＜文書管理装置1の処理動作＞
次に、本実施形態の文書管理装置1の処理動作について説明する。
【００３１】
＜階層・利用者ID対応テーブルの作成方法＞
まず、図２、図３を参照しながら、階層・利用者ID対応テーブルの作成方法について説明する。図３は、階層・利用者ID対応テーブルの作成方法を説明するためのフローチャートである。
【００３２】
まず、入力部13は、アクセスレベルの階層数（N）を階層・利用者ID対応テーブル保存部14に入力する（ステップS1）。階層・利用者ID対応テーブル保存部14は、入力部13から入力された階層数（N）分の階層テーブルを確保する（ステップS2）。この場合、階層・利用者ID対応テーブル保存部14は、図２に示すように、最低位のアクセスレベルの階層テーブルを１に設定し、最高位のアクセスレベルの階層テーブルをNに設定する（ステップS3）。
【００３３】
次に、入力部13は、利用者IDとその利用者IDのアクセスレベル（階層）を階層・利用者ID対応テーブル保存部14に入力する（ステップS4）。階層・利用者ID対応テーブル保存部14は、入力部13から入力されたアクセスレベル（階層）の階層テーブルに利用者IDを設定する（ステップS5）。
【００３４】
次に、階層・利用者ID対応テーブル保存部14は、入力部13から入力された全ての利用者IDを階層テーブルに設定したか否かを判定する（ステップS6）。階層・利用者ID対応テーブル保存部14は、入力部13から入力された全ての利用者IDを階層テーブルに設定した場合に（ステップS6/Yes）、その階層テーブルを階層・利用者ID対応テーブルとして階層・利用者ID対応テーブル保存部14に保存し（ステップS7）、処理を終了する。
【００３５】
これにより、階層・利用者ID対応テーブル保存部14は、図２に示す階層・利用者ID対応テーブルを作成し、その作成した階層・利用者ID対応テーブルを階層・利用者ID対応テーブル保存部14に保存して管理することになる。なお、図２に示す階層・利用者ID対応テーブルの作成方法は、上述した方法に限定するものではなく、あらゆる作成方法が適用可能である。
【００３６】
＜文書対応階層テーブルの作成方法＞
次に、図４、図５を参照しながら、文書対応階層テーブルの作成方法について説明する。図４は、文書対応階層テーブルの作成方法を説明するためのフローチャートであり、図５は、その説明概要図である。
【００３７】
まず、入力部13は、文書を読み込み、電子文書を作成する（ステップA1）。これにより、図５（a）に示す電子文書を得ることになる。次に、文書対応階層テーブル作成部15は、図５（a）に示す電子文書の文字数（M）をカウントし（ステップA2）、そのカウントした文字数（M）分の階層テーブルを確保する（ステップA3）。これにより、図５（b）に示す文書対応階層テーブルを作成することになる。
【００３８】
次に、文書対応階層テーブル作成部15は、ステップA3で作成した図５（b）に示す文書対応階層テーブルの全エリアをデフォルト１（最低位の階層）に設定する（ステップA4）。これにより、図５（c）に示すデフォルト状態の文書対応階層テーブルを作成することになる。また、文書対応階層テーブル作成部15は、図５（a）に示す電子文書を文書保存部12に保存することになる。なお、図５の例では、電子文書を文字単位で複数のセグメント（M）に分割し、各セグメント（M）に対して階層を設定することにした。しかし、セグメントに分割する単位は、文字単位に限定するものではなく、章、段落、文章、単語単位に分割するように構築することも可能である。
【００３９】
＜文書対応階層テーブルの設定方法＞
次に、図６、図７を参照しながら、文書対応階層テーブルの設定方法について説明する。図６は、文書対応階層テーブルの設定方法を説明するためのフローチャートであり、図７は、その説明概要図である。
【００４０】
まず、文書対応階層テーブル作成部15は、階層分けを行うか否かを判定する（ステップB1）。文書対応階層テーブル作成部15は、階層分けを行う開始文字位置M'（但し、１≦M'≦M）と、その開始文字位置M'に設定する階層N'（但し、１≦N'≦Nと、が入力部13から入力された場合に、階層分けを行うと判定し（ステップB1/Yes）、その開始文字位置M'と、階層N'と、を文書対応階層テーブルに設定する（ステップB2、B3）。この場合、文書対応階層テーブル作成部15は、開始文字位置M'以降の全ての文字位置M'＋１〜Mの階層を全てN'に設定する（ステップB4）。
【００４１】
文書対応階層テーブル作成部15は、階層分けを行う箇所がなくなるまで上述したステップB1〜B4の一連の処理を行い、階層分けが終了と判定した場合に（ステップB5/Yes）、文書対応階層テーブルを文書対応階層テーブル保存部16に保存し（ステップB6）、処理を終了する。これにより、文書対応階層テーブル作成部15は、図７（b）に示す文書対応階層テーブルを文書対応階層テーブル保存部16に保存することになる。
【００４２】
なお、文書対応階層テーブル作成部15は、文書保存部12に保存した図５（a）に示す電子文書と、文書対応階層テーブル保存部16に保存した図７（b）に示す文書対応階層テーブルと、に同一の文書IDを付与し、図５（a）に示す電子文書と、図７（b）に示す文書対応階層テーブルと、を関係付けて管理することになる。
【００４３】
＜利用者IDに対応した電子文書の出力処理＞
次に、図８〜図１０を参照しながら、利用者IDに対応した電子文書の出力処理について説明する。図８は、電子文書の出力処理を説明するためのフローチャートであり、図９は、図８に示す処理１を説明するためのフローチャートであり、図１０は、図８、図９の説明概要図である。
【００４４】
まず、利用者は、利用者IDを利用者端末装置2から入力し、認証を受けログインする（ステップC1）。次に、利用者は、閲覧したい文書名を利用者端末装置2から入力する（ステップC2）。
【００４５】
文書出力部17は、利用者端末装置2から入力された文書名を基に、該当する電子文書を文書保存部12から読み出す（ステップC3）。また、文書出力部17は、該当する電子文書に対応した文書対応階層テーブルを文書対応階層テーブル保存部16から読み出す（ステップC4）。
【００４６】
例えば、利用者端末装置2から入力された文書名が図１０（a）に示す文書「ひらがな」と仮定する。この場合、文書出力部17は、図１０（b）に示すように、文書「ひらがな」に対応する文書対応階層テーブルを文書対応階層テーブル保存部16から読み出すことになる。
【００４７】
次に、文書出力部17は、レジスタR1に１(最低階層)を設定し（ステップC5）、レジスタR1に設定した階層に利用者IDが登録されているか否かを判定する（ステップC6）。文書出力部17は、レジスタR1に設定した階層に利用者IDが登録されていない場合には（ステップC6/No）、レジスタR1に設定した階層を１つ加算する（R1＝R1＋1）（ステップC7）。そして、レジスタR1に設定した階層がN（最高階層）より大きくなったか否かを判定し（ステップC8）、レジスタR1に設定した階層がN（最高階層）より大きくなった場合に（ステップC8/Yes）、利用者端末装置2から入力された利用者IDが階層・利用者ID対応テーブル保存部14に登録されていないと判定し（利用者IDなし）、処理を終了する。
【００４８】
また、文書出力部17は、レジスタR1に設定した階層に利用者IDが登録されている場合には（ステップC6/Yes）、利用者端末装置2から入力された利用者IDが階層・利用者ID対応テーブル保存部14に登録されていると判定し、後述する図９に示す処理１を開始する（ステップC9）。そして、文書出力部17は、処理1を行った電子文書を利用者端末装置2に出力し（ステップC10）、処理を終了する。
【００４９】
＜処理１の詳細動作＞
次に、図９を参照しながら、図８に示すステップC9の処理１の詳細動作について説明する。
【００５０】
まず、文書出力部17は、レジスタR2に１を設定する（ステップD1）。レジスタR2は、図１０（b）に示す文書対応階層テーブルの文字位置を示す。この場合、文書対応階層テーブルの最初の文字位置；1を示すことになる。次に、文書出力部17は、レジスタR3に利用者が利用可能な階層を設定する（ステップD2）。例えば、利用者端末装置2から入力された利用者IDが図１０（a）に示すID A003と仮定する。この場合、文書出力部17は、利用者端末装置2から入力された図１０（a）に示す利用者ID；A 003を基に、図１０（c）に示すように、利用者ID;A 003の利用者が利用可能な階層;2を階層・利用者ID対応テーブル保存部14から読み出し、その階層;2をレジスタR3に設定することになる。
【００５１】
次に、文書出力部17は、レジスタR2に設定した文字位置の階層がレジスタR3に設定した階層より大きいか否かを判定する（ステップD3）。文書出力部17は、レジスタR2に設定した文字位置の階層がレジスタR3に設定した階層より大きい場合に（ステップD3/Yes）、レジスタR2に設定した文字位置の電子文書を伏字にする（ステップD4）。これにより、文書出力部17は、閲覧が許可されていない文字位置の電子文書については利用者が閲覧不可能な形式にすることが可能となる。なお、閲覧が許可されていない文字位置の電子文書に施す処理は、利用者が閲覧不可能な形式に変換することが可能であれば特に限定するものではなく、例えば、文字変換処理やモザイク処理等が適用可能である。
【００５２】
また、文書出力部17は、レジスタR2に設定した文字位置の階層がレジスタR3に設定した階層より大きくない場合には（ステップD3/No）、レジスタR2に設定した文字位置の電子文書をそのままの形式にする。これにより、文書出力部17は、閲覧が許可されている文字位置の電子文書については閲覧可能な形式のままにすることが可能となる。
【００５３】
次に、文書出力部17は、レジスタR2に設定した文字位置が電子文書の最終文字か否かを判定し（ステップD5）、最終文字でない場合には（ステップD5/No）、レジスタR2に設定した文字位置を１つだけずらす（R2＝R2＋１）（ステップD6）。そして、レジスタR2に設定した文字位置が最終文字になるまでステップD3〜D6の処理を繰り返し、最終文字になった場合に（ステップD5/Yes）、処理を終了する。
【００５４】
例えば、利用者端末装置2から入力された図１０（a）に示す利用者ID；A 003を基に、図１０（c）に示すように、利用者ID;A 003の利用者が利用可能な階層;2を階層・利用者ID対応テーブル保存部14から読み出し、その階層;2をレジスタR3に設定したとする。この場合、文書出力部17は、図１０（b）に示す文書対応階層テーブルの中で、レジスタR3に設定した階層；2より大きな階層の文字位置の電子文書を伏字にすることになる。これにより、文書出力部17は、図１０（b）に示す文書対応階層テーブルの中で、２より大きな階層の文字位置の電子文書を伏字にし、利用者ID A003のみが閲覧可能な図１０（d）に示す電子文書を生成し、利用者端末装置2に出力することになる。
【００５５】
＜本実施形態の文書管理システムの作用・効果＞
このように、本実施形態の文書管理システムの文書管理装置1は、利用者を識別するための利用者IDと、電子文書の閲覧を許可するためのアクセス権（階層）と、が対応付けられた図２に示す階層・利用者ID対応テーブルを作成し、階層・利用者ID対応テーブル保存部14に保存する。
【００５６】
また、文書管理装置1は、１つの電子文書を複数のセグメントに分割し、閲覧を許可するためのアクセス権（階層）をセグメント毎に設定し、図７（b）に示す文書対応階層テーブルを作成し、文書対応階層テーブル保存部16に保存する。
【００５７】
そして、文書管理装置1は、利用者端末装置2から入力された図１０（a）に示す文書名を基に、該当する文書名の電子文書を文書保存部12から読み出すと共に、該当する文書名の電子文書に対応した図１０（b）に示す文書対応階層テーブルを文書対応階層テーブル保存部16から読み出す。また、利用者端末装置2から入力された図１０（b）に示す利用者IDを基に、該当する利用者IDに対応付けられた図１０（c）に示す階層（アクセス権）を階層・利用者ID対応テーブル保存部14から読み出す。そして、階層・利用者ID対応テーブル保存部14から読み出した利用者IDの階層（アクセス権）と、文書対応階層テーブル保存部16から読み出した図１０（b）に示す文書対応階層テーブルと、を基に、利用者IDの階層以下の値が設定された階層のセグメントについては閲覧可能な形式とし、利用者IDの階層よりも大きな値の階層が設定されたセグメントについては閲覧不可能な形式とした図１０（d）に示す電子文書を作成し、その作成した図１０（d）に示す電子文書を利用者端末装置2に出力し、利用者に閲覧させることになる。
【００５８】
これにより、本実施形態の文書管理装置1は、１つの電子文書を複数のセグメントに分割し、そのセグメント毎にアクセス権（階層）が設定された図１０（b）に示す文書対応階層テーブルを作成することになる。そして、そのセグメント毎にアクセス権（階層）が設定された図１０（b）に示す文書対応階層テーブルと、利用者毎にアクセス権（階層）が設定された図１０（c）に示す階層・利用者ID対応テーブルと、を基に、各利用者に設定されたアクセス権（階層）で閲覧可能な形式の図１０（d）に示す電子文書を生成し、該生成した図１０（d）に示す電子文書を利用者に閲覧させることが可能となる。
【００５９】
（第２の実施形態）
次に、第２の実施形態について説明する。
【００６０】
第１の実施形態では、図１０（b）に示す文書対応階層テーブルと、図１０（c）に示す階層・利用者ID対応テーブルと、を基に、各利用者に設定されたアクセス権（階層）で閲覧可能な形式の図１０（d）に示す電子文書を生成し、該生成した図１０（d）に示す電子文書を利用者に閲覧させることにした。
【００６１】
第２の実施形態では、図１２（b）に示す文書対応階層テーブルを基に、各アクセス権（階層）で閲覧可能な図１２（c）に示す文書ファイルを各アクセス権（階層）毎に作成し、文書保存部12に保存する。そして、文書保存部12に保存した図１４（c）に示す各アクセス権（階層）毎の文書ファイルと、利用者毎にアクセス権（階層）が設定された図１４（b）に示す階層・利用者ID対応テーブルと、を基に、各利用者に設定されたアクセス権（階層）で閲覧可能な文書ファイルを図１４（c）に示す文書保存部12から取得し、該取得した図１４（d）に示す文書ファイルの電子文書を利用者に閲覧させる。これにより、各アクセス権（階層）毎の文書ファイルを文書保存部12に予め保存し、その文書ファイルの電子文書を利用者に閲覧させることになるため、電子文書を利用者に迅速に閲覧させることが可能となる。以下、添付図面を参照しながら、第２の実施形態について説明する。なお、第２の実施形態の文書管理システムのシステム構成は、第１の実施形態と同様に構成し、文書管理装置1で行う処理動作が異なるだけであるため、文書管理装置1の処理動作についてのみ説明する。
【００６２】
＜階層・利用者ID対応テーブルの作成方法＞
階層・利用者ID対応テーブルの作成方法は、図３に示す第１の実施形態と同様に作成する。
【００６３】
＜文書対応階層テーブルの作成方法＞
文書対応階層テーブルの作成方法は、図４、図５に示す第１の実施形態と同様に作成する。
【００６４】
＜階層毎の文書ファイルの作成方法＞
次に、図１１、図１２を参照しながら、階層毎の文書ファイルの作成方法について説明する。図１１は、階層毎の文書ファイルの作成方法を説明するためのフローチャートであり、図１２は、その説明概要図である。
【００６５】
まず、文書対応階層テーブル作成部15は、階層分けを行うか否かを判定する（ステップB1）。文書対応階層テーブル作成部15は、階層分けを行う開始文字位置M'（但し、１≦M'≦M）と、その開始文字位置M'に指定する階層N'（但し、１≦N'≦Nと、が入力部13から入力された場合に、階層分けを行うと判定し（ステップB1/Yes）、その開始文字位置M'と、階層N'と、を文書対応階層テーブルに設定する（ステップB2、B3）。この場合、文書対応階層テーブル作成部15は、開始文字位置M'以降の文字位置Mの階層を全てN'に設定する（ステップB4）。文書対応階層テーブル作成部15は、階層分けを行う箇所がなくなるまで上述したステップB1〜B4の一連の処理を行い、階層分けが終了と判定した場合に（ステップB5/Yes）、文書対応階層テーブルを文書対応階層テーブル保存部16に保存する（ステップB6）。これにより、図１２（b）に示す文書対応階層テーブルを文書対応階層テーブル保存部16に保存することになる。
【００６６】
次に、文書対応階層テーブル作成部15は、階層毎の文書ファイルを作成するために、レジスタR1に階層１を設定し（ステップB'7）、レジスタR2に文字位置１を設定する（ステップB'8）。レジスタR1は、電子文書の階層を示し、レジスタR2は、図１２（b）に示す文書対応階層テーブルの文字位置を示す。
【００６７】
次に、文書対応階層テーブル作成部15は、レジスタR2に設定した文字位置の階層がレジスタR1に設定した階層より大きいか否かを判定し（ステップB'9）、レジスタR2に設定した文字位置の階層がレジスタR1に設定した階層より大きい場合には（ステップB'9/Yes）、レジスタR2に設定した文字位置の電子文書を伏字にする（ステップB'10）。これにより、文書対応階層テーブル作成部15は、レジスタR1に設定した階層より大きい文字位置の電子文書については閲覧不可能な形式にすることが可能となる。
【００６８】
また、文書対応階層テーブル作成部15は、レジスタR2に設定した文字位置の階層がレジスタR1に設定した階層より大きくない場合には（ステップD3/No）、レジスタR2に設定した文字位置の電子文書をそのままの形式にする。これにより、文書対応階層テーブル作成部15は、レジスタR1に設定した階層より大きくない文字位置の電子文書については閲覧可能な形式のままにすることが可能となる。
【００６９】
次に、文書対応階層テーブル作成部15は、レジスタR2に設定した文字位置が電子文書の最終文字か否かを判定する（ステップB'11）。文書対応階層テーブル作成部15は、レジスタR2に設定した文字位置が最終文字でない場合に（ステップB'11/No）、レジスタR2に設定した文字位置を１つだけずらし（R2＝R2＋１）（ステップB'12）、レジスタR2に設定した文字位置が最終文字になるまでステップB'9〜B'12の処理を繰り返す。そして、文書対応階層テーブル作成部15は、レジスタR2に設定した文字位置が最終文字になった場合に（ステップB'11/Yes）、レジスタR1に設定した階層分の文書ファイルとして文書保存部12に保存することになる（ステップB'13）。
【００７０】
次に、文書対応階層テーブル作成部15は、レジスタR1に設定した階層が最高位階層Nか否かを判定する（ステップB'14）。文書対応階層テーブル作成部15は、レジスタR1に設定した階層が最高位階層Nでない場合に（ステップB'14/No）、レジスタR1に設定した階層を1だけ加算し（R1＝R1＋１）（ステップB'15）、そのレジスタR1に設定した新たな階層分の文書ファイルを作成し、文書保存部12に保存する（ステップB'8〜B'13）。そして、文書対応階層テーブル作成部15は、レジスタR1に設定した階層が最高位階層Nである場合に（ステップB'14/Yes）、処理を終了することになる。
【００７１】
例えば、図１２（b）に示す文書対応階層テーブルは、階層１〜階層３で構成されている。この場合、文書対応階層テーブル作成部15は、図１２（c）に示す階層毎の文書ファイルを作成することになる。図１２（c）に示す階層１の文書ファイルは、階層が１より大きい文字位置の電子文書を伏字に変換し、階層が１より大きくない文字位置の電子文書のみが閲覧可能な形式にしている。また、図１２（c）に示す階層２の文書ファイルは、階層が２より大きい文字位置の電子文書を伏字に変換し、階層が２より大きくない文字位置の電子文書のみが閲覧可能な形式にしている。また、図１２（c）に示す階層３の文書ファイルは、階層が３より大きい文字位置の電子文書を伏字に変換し、階層が３より大きくない文字位置の電子文書のみが閲覧可能な形式にしている。
【００７２】
＜利用者IDに対応した電子文書の出力処理＞
次に、図１３、図１４を参照しながら、利用者IDに対応した電子文書の出力処理について説明する。図１３は、電子文書の出力方法を説明するためのフローチャートであり、図１４は、その説明概要図である。
【００７３】
まず、利用者は、利用者IDを利用者端末装置2から入力し、認証を受けログインする（ステップC1）。次に、利用者は、閲覧したい文書名を利用者端末装置2から入力する（ステップC2）。
【００７４】
次に、文書出力部17は、利用者端末装置2から入力された利用者IDを基に、利用者IDの利用者が利用可能な階層を階層・利用者ID対応テーブル保存部14から読み出す。
【００７５】
次に、文書出力部17は、レジスタR1に１(最低階層)を設定し（ステップC5）、レジスタR1に設定した階層に利用者IDが登録されているか否かを判定する（ステップC6）。文書出力部17は、レジスタR1に設定した階層に利用者IDが登録されていない場合には（ステップC6/No）、レジスタR1に設定した階層を１つ加算する（R1＝R1＋1）（ステップC7）。そして、レジスタR1に設定した階層がN（最高階層）より大きくなったか否かを判定し（ステップC8）、レジスタR1に設定した階層がN（最高階層）より大きくなった場合に（ステップC8/Yes）、利用者端末装置2から入力された利用者IDが階層・利用者ID対応テーブル保存部14に登録されていないと判定し（利用者IDなし）、処理を終了する。
【００７６】
また、文書出力部17は、レジスタR1に設定した階層に利用者IDが登録されている場合には（ステップC6/Yes）、利用者端末装置2から入力された文書名と、利用者IDが登録されている階層と、を基に、利用者IDの階層に対応する文書ファイルを文書保存部12から読み出し、その読み出した文書ファイルの電子文書を利用者に出力し（ステップC'9）、処理を終了する。
【００７７】
例えば、利用者端末装置2から入力された文書名が図１４（a）に示す文書「ひらがな」と仮定し、利用者IDが図１４（a）に示すID A003と仮定する。この場合、文書出力部17は、図１４（b）に示すように、階層；2にID A003が登録されていると判断する。そして、文書出力部17は、文書「ひらがな」の階層;2に対応する文書ファイルを図１４（c）に示す文書保存部12から読み出し、その読み出した図１４（d）に示す文書ファイルの電子文書を利用者端末装置2に出力することになる。
【００７８】
＜本実施形態の文書管理システムの作用・効果＞
このように、本実施形態の文書管理システムの文書管理装置1は、１つの電子文書を複数のセグメントに分割し、閲覧を許可するためのアクセス権（階層）をセグメント毎に設定し、図１２（b）に示す文書対応階層テーブルを作成し、文書対応階層テーブル保存部16に保存する。そして、文書管理装置1は、図１２（b）に示す文書対応階層テーブルを基に、各アクセス権（階層）で閲覧可能な図１２（c）に示す文書ファイルを各アクセス権（階層）毎に作成し、文書保存部12に保存する。
【００７９】
そして、文書管理装置1は、文書保存部12に保存した図１４（c）に示す各アクセス権（階層）毎の文書ファイルと、利用者毎にアクセス権（階層）が設定された図１４（b）に示す階層・利用者ID対応テーブルと、を基に、各利用者に設定されたアクセス権（階層）で閲覧可能な文書ファイルを図１４（c）に示す文書保存部12から取得し、該取得した図１４（d）に示す文書ファイルの電子文書を利用者に閲覧させることになる。
【００８０】
これにより、本実施形態の文書管理装置1は、各アクセス権（階層）毎の文書ファイルを文書保存部12に予め保存し、その文書ファイルの電子文書を利用者に閲覧させることになるため、電子文書を利用者に迅速に閲覧させることが可能となる。
【００８１】
（第３の実施形態）
次に、第３の実施形態について説明する。
【００８２】
第３の実施形態は、図１７（b）に示す文書対応階層テーブルを基に、各アクセス権（階層）で閲覧可能な図１７（d）に示す分割ファイルを各アクセス権（階層）毎に作成し、文書保存部12に保存する。また、図１７（b）に示す文書対応階層テーブルを基に、分割順と、分割ファイル名と、階層と、が対応付けられた図１７（c）に示す文書分割情報を作成し、文書分割情報保存部19に保存する。そして、文書保存部12に保存した図１９（d）に示す各アクセス権（階層）毎の分割ファイルと、文書分割情報保存部19に保存した図１９（c）に示す文書分割情報と、利用者毎にアクセス権（階層）が設定された図１９（b）に示す階層・利用者ID対応テーブルと、を基に、各利用者に設定されたアクセス権（階層）で閲覧可能な分割ファイルを文書保存部12から取得し、該取得した図１９（e）に示す分割ファイルを結合した合成文書を利用者に閲覧させる。これにより、各アクセス権（階層）毎の分割ファイルを文書保存部12に予め保存し、各利用者に設定されたアクセス権（階層）で閲覧可能な分割ファイルを文書保存部12から取得し、該取得した分割ファイルを結合した合成文書を利用者に閲覧させることが可能となる。以下、添付図面を参照しながら、第３の実施形態について説明する。
【００８３】
＜文書管理システムのシステム構成＞
まず、図１５を参照しながら、本実施形態の文書管理システムのシステム構成について説明する。
【００８４】
本実施形態の文書管理システムの文書管理装置1は、文書分割情報作成部18と、文書分割情報保存部19と、を有して構成する。
【００８５】
文書分割情報作成部18は、電子文書をファイル分割し、そのファイル分割した分割ファイルを文書保存部12に保存する機能を有する。また、分割順、分割ファイル名、階層を対応付けてテーブル化した文書分割情報を作成する機能を有する。
【００８６】
文書分割情報保存部19は、文書分割情報を保存する機能を有する。
【００８７】
＜文書管理システムの処理動作＞
次に、本実施形態の文書管理システムの処理動作について説明する。
【００８８】
＜階層・利用者ID対応テーブルの作成方法＞
階層・利用者ID対応テーブルの作成方法は、図３に示す第１の実施形態と同様に作成する。
【００８９】
＜文書対応階層テーブルの作成方法＞
文書対応階層テーブルの作成方法は、図４、図５に示す第１の実施形態と同様に作成する。なお、文書対応階層テーブルの作成は、文書分割情報作成部18が行うことになる。
【００９０】
＜分割ファイルの設定方法＞
次に、図１６、図１７を参照しながら、分割ファイルの設定方法について説明する。図１６は、分割ファイルの設定方法を説明するためのフローチャートであり、図１７は、その説明概要図である。
【００９１】
まず、文書分割情報作成部18は、文書分割を行うか否かを判定する（ステップE1）。文書分割情報作成部18は、文書分割を行う開始文字位置M'（但し、１≦M'≦M）と、その開始文字位置M'に指定する階層N'（但し、１≦N'≦Nと、が入力部13から入力された場合に、文書分割を行うと判定し（ステップE1/Yes）、その開始文字位置M'と、階層N'と、を文書対応階層テーブルに設定する（ステップE2、E3）。この場合、文書分割情報作成部18は、分割順と、分割ファイル名と、階層N'と、を対応付けてテーブル化した文書分割情報を文書分割情報保存部19に保存する（ステップE4）。また、文書分割情報作成部18は、開始文字位置M'までの電子文書を切り出し、階層N'と分割ファイル名とを対応付けて文書保存部12に保存する（ステップE5）。
【００９２】
文書分割情報作成部18は、文書分割を行う箇所がなくなるまで上述したステップE1〜E5の一連の処理を行い、文書分割が終了と判定した場合に（ステップE6/Yes）、処理を終了する。これにより、図１７（c）に示す文書分割情報を文書分割情報保存部19に保存することになる。また、図１７（d）に示す階層毎に分割された分割ファイルを文書保存部12に保存することになる。
【００９３】
＜利用者IDに対応した電子文書の出力処理＞
次に、図１８、図１９を参照しながら、利用者IDに対応した電子文書の出力処理について説明する。図１８は、電子文書の出力処理を説明するためのフローチャートであり、図１９は、その説明概要図である。
【００９４】
まず、利用者は、利用者IDを利用者端末装置2から入力し、認証を受けログインする（ステップC1）。次に、利用者は、閲覧したい文書名を利用者端末装置2から入力する（ステップC2）。
【００９５】
次に、文書出力部17は、レジスタR1に１(最低階層)を設定し（ステップC5）、レジスタR1に設定した階層に利用者IDが登録されているか否かを判定する（ステップC6）。文書出力部17は、レジスタR1に設定した階層に利用者IDが登録されていない場合には（ステップC6/No）、レジスタR1に設定した階層を１つ加算する（R1＝R1＋1）（ステップC7）。そして、レジスタR1に設定した階層がN（最高階層）より大きくなったか否かを判定し（ステップC8）、レジスタR1に設定した階層がN（最高階層）より大きくなった場合に（ステップC8/Yes）、利用者端末装置2から入力された利用者IDが階層・利用者ID対応テーブル保存部14に登録されていないと判定し（利用者IDなし）、処理を終了する。
【００９６】
また、文書出力部17は、レジスタR1に設定した階層に利用者IDが登録されている場合には（ステップC6/Yes）、利用者端末装置2から入力された利用者IDが階層・利用者ID対応テーブル保存部14に登録されていると判定し、利用者端末装置2から入力された文書名を基に、文書名に対応する文書分割情報を文書分割情報保存部19から読み出す（ステップC'9）。次に、文書出力部17は、文書分割情報保存部19から読み出した文書分割情報と、利用者が利用可能な階層と、を基に、利用者が閲覧可能な階層の分割ファイルを文書保存部12から読み出す（ステップC'10）。この場合、文書出力部17は、文書分割情報に含まれる分割順に分割ファイルを文書保存部12から読み出すことになる。次に、文書出力部17は、文書保存部12から読み出した分割ファイルを結合した合成文書を利用者端末装置2に出力し（ステップC'11）、処理を終了する。
【００９７】
例えば、利用者端末装置2から入力された文書名が図１９（a）に示す文書「ひらがな」と仮定し、利用者IDが図１９（a）に示すID A003と仮定する。この場合、文書出力部17は、図１９（b）に示すように、階層；2にID A003が登録されていると判断する。そして、文書出力部17は、文書「ひらがな」に対応する図１９（c）に示す文書分割情報を文書分割情報保存部19から読み出すことになる。そして、文書出力部17は、文書分割情報保存部19から読み出した図１９（c）に示す文書分割情報と、利用者が利用可能な図１９（b）に示す階層；2と、文書保存部12に保存した図１９（d）に示す各アクセス権（階層）毎の分割ファイルと、を基に、利用者が閲覧可能な階層の分割ファイルを図１９（d）に示す文書保存部12から読み出す。そして、文書出力部17は、文書保存12から読み出した図１９（e）に示す分割ファイルを結合した合成文書を利用者端末装置2に出力することになる。
【００９８】
＜本実施形態の文書管理システムの作用・効果＞
このように、本実施形態の文書管理システムの文書管理装置1は、１つの電子文書を複数のセグメントに分割し、閲覧を許可するためのアクセス権（階層）をセグメント毎に設定し、図１７（b）に示す文書対応階層テーブルを作成する。そして、文書管理装置1は、図１７（b）に示す文書対応階層テーブルを基に、各アクセス権（階層）で閲覧可能な図１７（d）に示す分割ファイルを各アクセス権（階層）毎に作成し、文書保存部12に保存する。また、図１７（b）に示す文書対応階層テーブルを基に、分割順と、分割ファイル名と、階層と、が対応付けられた図１７（c）に示す文書分割情報を作成し、文書分割情報保存部19に保存する。
【００９９】
そして、文書管理装置1は、文書保存部12に保存した図１９（d）に示す各アクセス権（階層）毎の分割ファイルと、文書分割情報保存部19に保存した図１９（c）に示す文書分割情報と、利用者毎にアクセス権（階層）が設定された図１９（b）に示す階層・利用者ID対応テーブルと、を基に、各利用者に設定されたアクセス権（階層）で閲覧可能な分割ファイルを図１９（d）に示す文書保存部12から取得し、該取得した図１９（e）に示す分割ファイルを結合した合成文書を利用者に閲覧させることになる。
【０１００】
これにより、本実施形態の文書管理装置1は、各アクセス権（階層）毎の分割ファイルを文書保存部12に予め保存し、各利用者に設定されたアクセス権（階層）で閲覧可能な分割ファイルを文書保存部12から取得し、該取得した分割ファイルを結合した合成文書を利用者に閲覧させることが可能となる。
【０１０１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１０２】
例えば、１つの電子文書を分割したセグメント（段落、文章、単語等）毎にセキュリティレベルに応じたパスワードを設定するように構築することも可能である。これにより、認証システムが存在しない場合でも、セキュリティレベルに応じたパスワードをユーザに予め通知しておくことで、同様のサービスを提供することが可能となる。
【０１０３】
また、上述した本実施形態における文書管理システムを構成する各装置における制御動作は、ハードウェア、または、ソフトウェア、あるいは、両者の複合構成を用いて実行することも可能である。
【０１０４】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【０１０５】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【０１０６】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【０１０７】
また、本実施形態における文書管理システムは、上記実施形態で説明した処理動作に従って時系列的に処理を実行するのみならず、処理を実行する装置の処理能力、あるいは、必要に応じて並列的にあるいは個別に処理を実行するように構築することも可能である。
【産業上の利用可能性】
【０１０８】
本発明は、電子文書を管理するサービスに適用可能である。
【図面の簡単な説明】
【０１０９】
【図１】第１の実施形態の文書管理システムのシステム構成例を示す図である。
【図２】階層・利用者ID対応テーブルの構成例を示す図である。
【図３】第１の実施形態における階層・利用者ID対応テーブルの作成方法を説明するための図である。
【図４】第１の実施形態における文書対応階層テーブルの作成方法を説明するための図である。
【図５】第１の実施形態における文書対応階層テーブルの作成方法を説明するための概要図である。
【図６】第１の実施形態における文書対応階層テーブルの設定方法を説明するための図である。
【図７】第１の実施形態における文書対応階層テーブルの設定方法を説明するための概要図である。
【図８】電第１の実施形態における子文書の出力処理を説明するための図である。
【図９】図８に示す処理１を説明するための図である。
【図１０】第１の実施形態における電子文書の出力処理を説明するための概要図である。
【図１１】第２の実施形態における階層毎の文書ファイルの作成方法を説明するための図である。
【図１２】第２の実施形態における階層毎の文書ファイルの作成方法を説明するための概要図である。
【図１３】第２の実施形態における電子文書の出力方法を説明するための図である。
【図１４】第２の実施形態における電子文書の出力方法を説明するための概要図である。
【図１５】第３の実施形態の文書管理システムのシステム構成例を示す図である。
【図１６】第３の実施形態における分割ファイルの設定方法を説明するための図である。
【図１７】第３の実施形態における分割ファイルの設定方法を説明するための概要図である。
【図１８】第３の実施形態における電子文書の出力処理を説明するための図である。
【図１９】第３の実施形態における電子文書の出力処理を説明するための概要図である。
【符号の説明】
【０１１０】
１    文書管理装置
２    利用者端末装置
３    ネットワーク
１１    通信制御部
１２    文書保存部
１３    入力部
１４    階層・利用者ID対応テーブル保存部
１５    文書対応階層テーブル作成部
１６    文書対応階層テーブル保存部
１７    文書出力部
１８    文書分割情報作成部
１９    文書分割情報保存部
【図１】
2010072690.tif 000003
【図２】
2010072690.tif 000004
【図３】
2010072690.tif 000005
【図４】
2010072690.tif 000006
【図５】
2010072690.tif 000007
【図６】
2010072690.tif 000008
【図７】
2010072690.tif 000009
【図８】
2010072690.tif 000010
【図９】
2010072690.tif 000011
【図１０】
2010072690.tif 000012
【図１１】
2010072690.tif 000013
【図１２】
2010072690.tif 000014
【図１３】
2010072690.tif 000015
【図１４】
2010072690.tif 000016
【図１５】
2010072690.tif 000017
【図１６】
2010072690.tif 000018
【図１７】
2010072690.tif 000019
【図１８】
2010072690.tif 000020
【図１９】
2010072690.tif 000021